【手続補正書】
【提出日】平成17年10月6日(2005.10.6)
【手続補正１】
【補正対象書類名】明細書
【補正対象項目名】特許請求の範囲
【補正方法】変更
【補正の内容】
【特許請求の範囲】
【請求項１】
複数枚のシート状のフィルムを少なくとも１つのサイドフラップ及びサイドフラップ省略部を有する保持部材に積層し遮光袋内に光密に包装した包装体を装填し前記遮光袋を前記フィルム上面から除去可能である収納手段と、
前記収納手段のフィルムと係合して最上位のフィルムを送り出して搬送する送り手段と、を備え、
前記保持部材に積層された前記フィルムが前記収納手段に装填されたときに、前記送り手段による前記フィルムの送り方向に前記保持部材のサイドフラップ省略部が位置することを特徴とするフィルム搬送装置。
【請求項２】
複数枚のシート状のフィルムを少なくとも１つのサイドフラップ及びサイドフラップ省略部を有する保持部材に積層し遮光袋内に光密に包装した包装体を装填する収納手段と、
前記収納手段に装填された前記包装体の遮光袋と係合して前記遮光袋を前記収納手段から除去するための除去手段と、
前記収納手段のフィルムと係合して最上位のフィルムを送り出して搬送する送り手段と、を備え、
前記保持部材に積層された前記フィルムが前記収納手段に装填されたときに、前記送り手段による前記フィルムの送り方向に前記保持部材のサイドフラップ省略部が位置することを特徴とするフィルム搬送装置。
【請求項３】
前記フィルムが熱現像感光材料であることを特徴とする請求項１または２に記載のフィルム搬送装置。
【請求項４】
前記収納手段は装置本体に対し少なくとも前記包装体の装填可能な装填位置と前記フィルムの搬送可能な搬送位置との間を移動可能に構成されたことを特徴とする請求項１，２または３に記載のフィルム搬送装置。
【請求項５】
前記収納手段は前記フィルム底面の少なくとも一部が載る載置台を備え、前記載置台上のフィルムを前記送り手段と係合させるようにその重力に抗して押し上げる押し上げ手段を更に備えることを特徴とする請求項４に記載のフィルム搬送装置。
【請求項６】
前記押し上げ手段は、前記収納手段が前記搬送位置にあるときに前記フィルムと前記送り手段とを係合させ、前記装填位置にあるときに前記係合を解除させることを特徴とする請求項５に記載のフィルム搬送装置。
【請求項７】
前記送り手段は前記載置台上のフィルム高さの変化に追従可能に構成されたことを特徴とする請求項５または６に記載のフィルム搬送装置。
【請求項８】
前記収納手段が前記搬送位置にあるとき、前記送り手段が追従可能となり、前記装填位置にあるとき前記送り手段が上方位置で保持されて追従不可能となるように構成したことを特徴とする請求項７に記載のフィルム搬送装置。
【請求項９】
前記保持部材は、前記フィルムが載る矩形状の底面と、前記矩形状の底面からほぼ直立し前記積層したフィルムの側面と対向するように設けられたサイドフラップと、を有することを特徴とする請求項１乃至８のいずれか１項に記載のフィルム搬送装置。
【請求項１０】
少なくとも１つのサイドフラップ及びサイドフラップ省略部を有し、複数枚のシート状のフィルムを積層保持する保持部材と、
少なくとも一端側に係合孔を有しかつ前記保持部材に積層保持された複数枚のシート状のフィルムを光密に包装する包装体と、を有するフィルム包装体であって、
前記係合孔を有する側端と同じ側に前記サイドフラップが位置することを特徴とするフィルム包装体。
【手続補正２】
【補正対象書類名】明細書
【補正対象項目名】発明の名称
【補正方法】変更
【補正の内容】
【発明の名称】フィルム搬送装置及びフィルム包装体
【手続補正３】
【補正対象書類名】明細書
【補正対象項目名】０００１
【補正方法】変更
【補正の内容】
【０００１】
【発明の属する技術分野】
本発明は、遮光袋内に包装された熱現像感光材料等のフィルムを搬送するためのフィルム搬送装置及びフィルム包装体に関する。
【手続補正４】
【補正対象書類名】明細書
【補正対象項目名】０００７
【補正方法】変更
【補正の内容】
【０００７】
【発明が解決しようとする課題】
本発明は、上記従来技術の問題に鑑み、複数枚のシート状のフィルムを積層し遮光袋内に光密に包装した包装体を作製する際に保持部材でフィルムの集積性を確保した場合に、フィルムを保持部材とともに装填してもフィルムの搬送を良好に実行できるフィルム搬送装置及びフィルム包装体を提供することを目的とする。
【手続補正５】
【補正対象書類名】明細書
【補正対象項目名】０００８
【補正方法】変更
【補正の内容】
【０００８】
【課題を解決するための手段】
上記目的を達成するために、本発明による第１のフィルム搬送装置は、複数枚のシート状のフィルムを少なくとも１つのサイドフラップ及びサイドフラップ省略部を有する保持部材に積層し遮光袋内に光密に包装した包装体を装填し前記遮光袋を前記フィルム上面から除去可能である収納手段と、前記収納手段のフィルムと係合して最上位のフィルムを送り出して搬送する送り手段と、を備え、前記保持部材に積層された前記フィルムが前記収納手段に装填されたときに、前記送り手段による前記フィルムの送り方向に前記保持部材のサイドフラップ省略部が位置することを特徴とする。
【手続補正６】
【補正対象書類名】明細書
【補正対象項目名】００１０
【補正方法】変更
【補正の内容】
【００１０】
本発明による第２のフィルム搬送装置は、複数枚のシート状のフィルムを少なくとも１つのサイドフラップ及びサイドフラップ省略部を有する保持部材に積層し遮光袋内に光密に包装した包装体を装填する収納手段と、前記収納手段に装填された前記包装体の遮光袋と係合して前記遮光袋を前記収納手段から除去するための除去手段と、前記収納手段のフィルムと係合して最上位のフィルムを送り出して搬送する送り手段と、を備え、前記保持部材に積層された前記フィルムが前記収納手段に装填されたときに、前記送り手段による前記フィルムの送り方向に前記保持部材のサイドフラップ省略部が位置することを特徴とする。
【手続補正７】
【補正対象書類名】明細書
【補正対象項目名】００１６
【補正方法】変更
【補正の内容】
【００１６】
また、前記収納手段が前記搬送位置にあるとき、前記送り手段が追従可能となり、前記装填位置にあるとき前記送り手段が上方位置で保持されて追従不可能となるように構成することが好ましく、包装体の装填及び包装体から遮光袋を除去する際の処理が容易となる。また、前記保持部材は、前記フィルムが載る矩形状の底面と、前記矩形状の底面からほぼ直立し前記積層したフィルムの側面と対向するように設けられたサイドフラップと、を有することが好ましい。なお、フィルムの押し上げは、全体を押し上げるようにしてよく、また送り手段側のみを押し上げるようにしてもよい。
【手続補正８】
【補正対象書類名】明細書
【補正対象項目名】００１７
【補正方法】変更
【補正の内容】
【００１７】
本発明によるフィルム包装体は、少なくとも１つのサイドフラップ及びサイドフラップ省略部を有し、複数枚のシート状のフィルムを積層保持する保持部材と、
少なくとも一端側に係合孔を有しかつ前記保持部材に積層保持された複数枚のシート状のフィルムを光密に包装する包装体と、を有するフィルム包装体であって、前記係合孔を有する側端と同じ側に前記サイドフラップが位置することを特徴とする。
【手続補正９】
【補正対象書類名】明細書
【補正対象項目名】０１００
【補正方法】変更
【補正の内容】
【０１００】
【発明の効果】
本発明のフィルム搬送装置及びフィルム包装体によれば、複数枚のシート状のフィルムを積層し遮光袋内に光密に包装した包装体を作製する際に保持部材でフィルムの集積性を確保した場合に、フィルムを収納手段に保持部材とともに装填してもフィルムの搬送を良好に実行できる。